【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
操作面へのタッチ操作を検出可能なタッチ検出手段と、前記操作面とは異なる位置にある表示部に表示されるアイテムを、タッチが開始された位置に対応した位置に表示せず、前記タッチ位置の移動が検出される前に前記アイテムが表示されていた位置から、前記タッチ位置の移動した量に応じて移動した位置に表示する第１の指示と、前記表示部に表示される前記アイテムを、前記所定のタッチ操作が検出される前に前記アイテムが表示されていた位置に基づかず、前記所定のタッチ操作がされた位置に基づく位置に表示する第２の指示とを行うように制御する制御手段とを有し、
前記制御手段は、前記操作面においてタッチが検出された後、タッチ位置の移動が検出された場合には、前記第１の指示を行い、
前記操作面においてタッチが検出された後、前記操作面へのタッチ位置の移動を含まない所定のタッチ操作が検出された場合には、前記第２の指示を行うように切り替えることを特徴とする電子機器。
【請求項２】
前記アイテムは、特定の処理を行う位置を示すことを特徴とする請求項１に記載の電子機器。
【請求項３】
接眼部を通して前記表示部を視認可能なファインダ部へ物体が接近したことを検知する接近検知手段をさらに有し、
前記制御手段は、前記接近検知手段が物体の接近を検知した場合には、前記操作面と一体となるファインダ外表示部に前記アイテムを表示せず、前記表示部に前記アイテムを表示し、前記接近検知手段が物体の接近を検知していない場合には、前記表示部に前記アイテムを表示せず、前記ファインダ外表示部に前記アイテムを表示するように制御することを特徴とする請求項１に記載の電子機器。
【請求項４】
前記制御手段は、前記接近検知手段が物体の接近を検知し、前記表示部に前記アイテムを表示している場合に、前記制御を行うことを特徴とする請求項３に記載の電子機器。
【請求項５】
前記制御手段は、前記接近検知手段が物体の接近を検知しておらず、前記ファインダ外表示部に前記アイテムが表示されている場合には、前記操作面においてタッチが開始された位置に前記アイテムを表示するように制御することを特徴とする請求項３に記載の電子機器。
【請求項６】
前記制御手段は、前記操作面へのタッチ操作の開始が検出されてから所定時間が経過する前に、前記タッチ操作が開始された位置からタッチ位置の移動がされないまま前記操作面からタッチが離される操作がされた場合には、前記第２の指示を行うように制御することを特徴とする請求項１乃至５の何れか１項に記載の電子機器。
【請求項７】
前記制御手段は、前記操作面へのタッチ操作の開始が検出されてから前記所定時間が経過した後に、前記タッチ操作が開始された位置からタッチ位置の移動がされないまま前記操作面からタッチが離された場合には、前記タッチ操作がされた位置に基づかない位置に前記アイテムを表示するように制御することを特徴とする請求項６に記載の電子機器。
【請求項８】
前記操作面においてタッチ位置の移動が検出された後、前記操作面においてタッチが離されたことに応じて、前記アイテムの表示された位置に基づいて前記特定の処理を行い、前記所定のタッチ操作が検出されたことに応じて、前記所定のタッチ操作がされた位置に基づいて前記特定の処理を行う処理手段をさらに有することを特徴とする請求項２に記載の電子機器。
【請求項９】
ユーザからの前記特定の処理を行う指示を受付ける受付手段と、
前記受付手段が前記指示を受付けたことに応じて、前記アイテムの表示された位置に基づいて前記特定の処理を行う処理手段とをさらに有することを特徴とする請求項２に記載の電子機器。
【請求項１０】
操作面へのタッチ操作を検出可能なタッチ検出手段と、
前記操作面とは異なる位置にある表示部の位置を指示する指示手段と、タッチが開始された位置に対応した位置を指示せず、前記タッチ位置の移動が検出される前に指示されていた位置から、前記タッチ位置の移動した量に応じて移動した位置を指示する第１の指示と、前記所定のタッチ操作が検出される前に指示されていた位置に基づかず、前記所定のタッチ操作がされた位置に基づいて位置を指示する第２の指示とを行うように制御する制御手段とを有し、
前記制御手段は、前記操作面へのタッチが検出された後、前記操作面においてタッチ位置の移動が検出された場合には、前記第１の指示を行い、
前記操作面へのタッチが検出された後、前記操作面へのタッチ位置の移動を含まない所定のタッチ操作が検出された場合には、前記第２の指示を行うように切り替えることを特徴とする電子機器。
【請求項１１】
接眼部を通して前記表示部を視認可能なファインダ部へ物体が接近したことを検知する接近検知手段をさらに有し、
前記制御手段は、前記接近検知手段が物体の接近を検知している場合に、前記制御を行うことを特徴とする請求項１０に記載の電子機器。
【請求項１２】
前記指示手段により指示された位置に基づいて特定の処理を行う処理手段をさらに有することを特徴とする請求項１０に記載の電子機器。
【請求項１３】
前記指示手段により指示された位置を示すアイテムを前記表示部に表示する制御手段をさらに有することを特徴とする請求項１０に記載の電子機器。
【請求項１４】
前記制御手段は、前記操作面へのタッチ操作の開始が検出されてから所定時間が経過する前に、前記タッチ操作が開始された位置からタッチ位置の移動がされないまま前記操作面からタッチが離される操作がされた場合には、前記第２の指示を行うように制御することを特徴とする請求項１０乃至１３の何れか１項に記載の電子機器。
【請求項１５】
前記制御手段は、前記操作面へのタッチ操作の開始が検出されてから前記所定時間が経過した後に、前記タッチ操作が開始された位置からタッチ位置の移動がされないまま前記操作面からタッチが離される操作がされた場合には、前記タッチ操作がされた位置に基づかない位置を指示するように制御することを特徴とする請求項１４に記載の電子機器。
【請求項１６】
前記表示部は接眼部を通して被写体を視認可能なファインダ部の中にあり、前記操作面は前記ファインダ部の外にあることを特徴とする請求項１に記載の電子機器。
【請求項１７】
前記特定の処理は、オートフォーカス、自動露出、オートホワイトバランスの少なくともいずれかの処理であることを特徴とする請求項２、８、９、１２の何れか１項に記載の電子機器。
【請求項１８】
前記制御手段は、前記操作面におけるタッチ位置が所定量以上の変化をした場合に、前記操作面におけるタッチ位置の移動がされたと検出するように制御することを特徴とする請求項１に記載の電子機器。
【請求項１９】
操作面へのタッチ操作を検出可能なタッチ検出手段と、
焦点調節位置を設定する設定手段と、前記タッチ位置の移動に応じて前記設定手段の選択する位置を移動する第１の指示と、前記所定のタッチ操作がされた位置に基づいて前記設定手段が位置を選択する第２の指示とを行うように制御する制御手段とを有し、
前記制御手段は、前記操作面においてタッチが検出された後、前記操作面においてタッチ位置の移動が検出された場合には、前記第１の指示を行い、
前記操作面においてタッチが検出された後、前記操作面へのタッチ位置の移動を含まない所定のタッチ操作が検出された場合には、前記第２の指示を行うように切り替えることを特徴とする電子機器。
【請求項２０】
前記所定のタッチ操作は、前記操作面へのタッチを開始してからタッチ位置を移動せずにタッチを離すタップ操作であることを特徴とする請求項１乃至５、１０乃至１３、１９の何れか１項に記載の電子機器。
【請求項２１】
前記所定のタッチ操作は、前記操作面へのタッチを開始してからタッチ位置を移動せずにタッチを離すタップ操作を２回行うダブルタップ操作であることを特徴とする請求項１乃至５、１０乃至１３、１９の何れか１項に記載の電子機器。
【請求項２２】
前記操作面に対する押圧力の少なくとも大小を検出可能な押圧検出手段とをさらに有し、
前記所定のタッチ操作は、前記操作面に対する押圧力を所定量以上大きくする操作であることを特徴とする請求項１乃至５、１０乃至１３、１９の何れか１項に記載の電子機器。
【請求項２３】
前記所定のタッチ操作は、前記操作面へのタッチを開始してからタッチ位置を移動しないまま、所定時間以上のタッチを継続した後に、タッチを離すロングタッチ操作であることを特徴とする請求項１乃至５、１０乃至１３、１９の何れか１項に記載の電子機器。
【請求項２４】
撮像手段をさらに有し、
前記制御手段は、前記表示部に前記撮像手段により取得した画像と前記アイテムを重畳して表示するように制御することを特徴とする請求項１乃至５、１０乃至１３、１６、１８、１９の何れか１項に記載の電子機器。
【請求項２５】
操作面へのタッチ操作を検出可能なタッチ検出ステップと、前記操作面とは異なる位置にある表示部に表示されるアイテムを、タッチが開始された位置に対応した位置に表示せず、前記タッチ位置の移動が検出される前に前記アイテムが表示されていた位置から、前記タッチ位置の移動した量に応じて移動した位置に表示する第１の指示と、前記表示部に表示される前記アイテムを、前記所定のタッチ操作が検出される前に前記アイテムが表示されていた位置に基づかず、前記所定のタッチ操作がされた位置に基づく位置に表示する第２の指示とを行うように制御する制御ステップとを有し、
前記制御ステップにおいては、前記操作面へのタッチが検出された後、前記操作面においてタッチ位置の移動が検出された場合には、前記第１の指示を行い、
前記操作面へのタッチが検出された後、前記操作面へのタッチ位置の移動を含まない所定のタッチ操作が検出された場合には、前記第２の指示を行うように切り替えることを特徴とする電子機器の制御方法。
【請求項２６】
操作面へのタッチ操作を検出可能なタッチ検出ステップと、
前記操作面とは異なる位置にある表示部の位置を指示する指示ステップと、タッチが開始された位置に対応した位置を指示せず、前記タッチ位置の移動が検出される前に指示されていた位置から、前記タッチ位置の移動した量に応じて移動した位置を指示する第１の指示と、前記所定のタッチ操作が検出される前に指示されていた位置に基づかず、前記所定のタッチ操作がされた位置に基づいて位置を指示する第２の指示とをするように制御する制御ステップとを有し、
前記制御ステップにおいては、前記操作面へのタッチが検出された後、前記操作面においてタッチ位置の移動が検出された場合には、前記第１の指示をし、前記操作面へのタッチが検出された後、前記操作面へのタッチ位置の移動を含まない所定のタッチ操作が検出された場合には、前記第２の指示をするように切り替えることを特徴とする電子機器の制御方法。
【請求項２７】
操作面へのタッチ操作を検出可能なタッチ検出ステップと、
焦点調節位置を設定する設定ステップと、前記タッチ位置の移動に応じて前記設定ステップにおいて選択する位置を移動する第１の指示と、前記所定のタッチ操作がされた位置に基づいて前記設定ステップにおいて位置を選択する第２の指示とを行うように制御する制御ステップとを有し、
前記制御ステップにおいては、前記操作面においてタッチが検出された後、前記操作面においてタッチ位置の移動が検出された場合には、前記第１の指示を行い、前記操作面においてタッチが検出された後、前記操作面へのタッチ位置の移動を含まない所定のタッチ操作が検出された場合には、前記第２の指示を行うように制御することを特徴とする電子機器の制御方法。
【請求項２８】
コンピュータを、請求項１、１０、１９の何れか１項に記載された電子機器の各手段として機能させるためのプログラム。
【請求項２９】
コンピュータを、請求項１、１０、１９の何れか１項に記載された電子機器の各手段として機能させるためのプログラムを格納したコンピュータが読み取り可能な記録媒体。
【手続補正２】
【補正対象書類名】明細書
【補正対象項目名】０００６
【補正方法】変更
【補正の内容】
【０００６】
上記目的を達成するために、本発明の電子機器は、操作面へのタッチ操作を検出可能なタッチ検出手段と、前記操作面とは異なる位置にある表示部に表示されるアイテムを、タッチが開始された位置に対応した位置に表示せず、前記タッチ位置の移動が検出される前に前記アイテムが表示されていた位置から、前記タッチ位置の移動した量に応じて移動した位置に表示する第１の指示と、前記表示部に表示される前記アイテムを、前記所定のタッチ操作が検出される前に前記アイテムが表示されていた位置に基づかず、前記所定のタッチ操作がされた位置に基づく位置に表示する第２の指示とを行うように制御する制御手段とを有し、前記制御手段は、前記操作面においてタッチが検出された後、タッチ位置の移動が検出された場合には、前記第１の指示を行い、前記操作面においてタッチが検出された後、前記操作面へのタッチ位置の移動を含まない所定のタッチ操作が検出された場合には、前記第２の指示を行うように切り替えることを特徴とする。